【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
CoKα線による粉末X線回折パターンにおいて最も強度のある回折ピークの相対強度を１００％としたとき、
当該X線回折パターンのブラッグ角度(2θ)が、３６．５°〜３７．５°、４０.９°〜 ４１.９°、４１.９°〜４２．９°、５６．３°〜５７．３°、６６．０°〜６７．０°、７５．８°〜７６．８°、および８１．０°〜８３．０°である範囲に相対強度１０％以上の回折ピークを示す相を主とした生成相として含み、
前記生成相の結晶系が、斜方晶系であり、
前記生成相は、組成式MmAaBbOoNn:Zで表記され、
Ｍ元素はII価の価数をとるMg、Ca、Sr、Ba、Znから選択される少なくとも1つ以上の元素であり、Ａ元素はIII価の価数をとるAl又はその一部をB（ホウ素）及びGaから選択される１種以上で置換したものであり、Ｂ元素はIV価の価数をとるSi又はその一部をGeで置換したものであり、Ｏは酸素であり、Ｎは窒素であり、Ｚ元素は、Euであり、
ｎ=2/3m+a+4/3b-2/3o、m=a=b=1、o＞0であることを特徴とする蛍光体。
【請求項２】
Ａ元素はAlであり、Ｂ元素はSiであることを特徴とする請求項１に記載の蛍光体。
【請求項３】
Ｍ元素はCaであり、Ａ元素はAlであり、Ｂ元素はSiであることを特徴とする請求項１又は２に記載の蛍光体。
【請求項４】
請求項１から３のいずれかに記載の蛍光体であって、
当該蛍光体のCoKα線による粉末X線回折パターンを測定し、当該X線回折パターンにおいて最も強度のある回折ピークの相対強度を１００％としたとき、
当該X線回折パターンのブラッグ角度(2θ)が３８．０°〜４０．０°の範囲に、相対強度が５％を超える回折ピークが存在しないことを特徴とする蛍光体。
【請求項５】
励起光として、波長250 nmから550 nmの範囲にある１種類以上の単色光、または、連続光が照射された際の、発光スペクトルにおける最大ピークの波長が650nm以上であることを特徴とする請求項１から４のいずれかに記載の蛍光体。
【請求項６】
請求項１から５のいずれかに記載の蛍光体であって、
当該蛍光体粒子の結晶子の大きさ（Dx）が50 nm以上であることを特徴とする蛍光体。
【請求項７】
請求項１から６のいずれかに記載の蛍光体であって、
当該蛍光体に含まれる生成相の結晶格子の単位体積が280.5Å3以上であることを特徴とする蛍光体。
【請求項８】
請求項１から７のいずれかに記載の蛍光体であって、
当該蛍光体に含まれる生成相の結晶格子の格子定数が、a = 9.80Å以上、b = 5.65Å以上、c = 5.06Å以上であることを特徴とする蛍光体。
【請求項９】
請求項１から８のいずれかに記載の蛍光体の製造方法であって、
当該蛍光体の原料粉体を秤量、混合して混合物を得る工程と、
前記混合物を焼成炉内で焼成して焼成物を得る工程と
前記焼成物を解砕して蛍光体を得る工程とを有し、
前記混合物を焼成して焼成物を得る工程において、当該焼成時の雰囲気ガスとして、窒素、アンモニア、アンモニアと窒素の混合ガス、または、窒素と水素の混合ガスのいずれかを用いることを特徴とする蛍光体の製造方法。
【請求項１０】
請求項９に記載の蛍光体の製造方法であって、
前記該焼炉内の雰囲気ガスとして、窒素ガスを80%以上含むガスを用いることを特徴とする蛍光体の製造方法。
【請求項１１】
請求項９または１０に記載の蛍光体の製造方法であって、
前記混合物を焼成炉内で焼成して焼成物を得る工程において、前記焼成炉内の雰囲気ガスを0.01L/min以上流通させながら焼成することを特徴とする蛍光体の製造方法。
【請求項１２】
請求項９から１１のいずれかに記載の蛍光体の製造方法であって、
前記混合物を焼成炉内で焼成して焼成物を得る工程において、前記焼成炉内の雰囲気ガスを0.001MPa以上、0.1MPa以下の加圧状態とすることを特徴とする蛍光体の製造方法。
【請求項１３】
請求項１から８のいずれかに記載の蛍光体を用いたことを特徴とする光源。
【手続補正２】
【補正対象書類名】明細書
【補正対象項目名】００１２
【補正方法】変更
【補正の内容】
【００１２】
即ち、本発明に係る第１の構成は、
CoKα線による粉末X線回折パターンにおいて最も強度のある回折ピークの相対強度を１００％としたとき、
当該X線回折パターンのブラッグ角度(2θ)が、３６．５°〜３７．５°、４０.９°〜 ４１.９°、４１.９°〜４２．９°、５６．３°〜５７．３°、６６．０°〜６７．０°、７５．８°〜７６．８°、および８１．０°〜８３．０°である範囲に相対強度１０％以上の回折ピークを示す相を主とした生成相として含み、
前記生成相の結晶系が、斜方晶系であり、
前記生成相は、組成式MmAaBbOoNn:Zで表記され、
Ｍ元素はII価の価数をとるMg、Ca、Sr、Ba、Znから選択される少なくとも1つ以上の元素であり、Ａ元素はIII価の価数をとるAl又はその一部をB（ホウ素）及びGaから選択される１種以上で置換したものであり、Ｂ元素はIV価の価数をとるSi又はその一部をGeで置換したものであり、Ｏは酸素であり、Ｎは窒素であり、Ｚ元素は、Euであり、
ｎ=2/3m+a+4/3b-2/3o、m=a=b=1、o＞0であることを特徴とする蛍光体である。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】変更
【補正の内容】
【００１８】
第２の構成は、
第１の構成に記載の蛍光体であって、
Ａ元素はAlであり、Ｂ元素はSiであることを特徴とする蛍光体である。
【手続補正９】
【補正対象書類名】明細書
【補正対象項目名】００１９
【補正方法】変更
【補正の内容】
【００１９】
第３の構成は、
第１又は第２の構成のいずれかに記載の蛍光体であって、
Ｍ元素はCaであり、Ａ元素はAlであり、Ｂ元素はSiであることを特徴とする蛍光体である。
【手続補正１０】
【補正対象書類名】明細書
【補正対象項目名】００２０
【補正方法】変更
【補正の内容】
【００２０】
第４の構成は、
第１から第３の構成のいずれかに記載の蛍光体であって、
当該蛍光体のCoKα線による粉末X線回折パターンを測定し、当該X線回折パターンにおいて最も強度のある回折ピークの相対強度を１００％としたとき、
当該X線回折パターンのブラッグ角度(2θ)が３８．０°〜４０．０°の範囲に、相対強度が５％を超える回折ピークが存在しないことを特徴とする蛍光体である。
【手続補正１１】
【補正対象書類名】明細書
【補正対象項目名】００２１
【補正方法】変更
【補正の内容】
【００２１】
第５の構成は、
励起光として、波長250 nmから550 nmの範囲にある１種類以上の単色光、または、連続光が照射された際の、発光スペクトルにおける最大ピークの波長が650nm以上であることを特徴とする第１から第４の構成のいずれかに記載の蛍光体である。
【手続補正１２】
【補正対象書類名】明細書
【補正対象項目名】００２２
【補正方法】変更
【補正の内容】
【００２２】
第６の構成は、
第１から第５の構成のいずれかに記載の蛍光体であって
当該蛍光体粒子の結晶子の大きさ（Dx）が50 nm以上であることを特徴とする蛍光体である。
【手続補正１３】
【補正対象書類名】明細書
【補正対象項目名】００２３
【補正方法】変更
【補正の内容】
【００２３】
第７の構成は、
第１から第６の構成のいずれかに記載の蛍光体であって、
当該蛍光体に含まれる生成相の結晶格子の単位体積が280.5Å3以上であることを特徴とする蛍光体である。
【手続補正１４】
【補正対象書類名】明細書
【補正対象項目名】００２４
【補正方法】変更
【補正の内容】
【００２４】
第８の構成は、
第１から第７の構成のいずれかに記載の蛍光体であって
当該蛍光体に含まれる生成相の結晶格子の格子定数が、、a = 9.80Å以上、b = 5.65Å以上、c = 5.06Å以上であることを特徴とする蛍光体である。
【手続補正１５】
【補正対象書類名】明細書
【補正対象項目名】００２５
【補正方法】変更
【補正の内容】
【００２５】
第９の構成は、
第１から第８の構成のいずれかに記載の蛍光体の製造方法であって、
当該蛍光体の原料粉体を秤量、混合して混合物を得る工程と、
前記混合物を焼成炉内で焼成して焼成物を得る工程と
前記焼成物を解砕して蛍光体を得る工程とを有し、
前記混合物を焼成して焼成物を得る工程において、当該焼成時の雰囲気ガスとして、窒素、アンモニア、アンモニアと窒素の混合ガス、または、窒素と水素の混合ガスのいずれかを用いることを特徴とする蛍光体の製造方法である。
【手続補正１６】
【補正対象書類名】明細書
【補正対象項目名】００２６
【補正方法】変更
【補正の内容】
【００２６】
第１０の構成は、
第９の構成に記載の蛍光体の製造方法であって、
前記該焼成時の焼成炉内の雰囲気ガスとして、窒素ガスを80%以上含むガスを用いることを特徴とする蛍光体の製造方法である。
【手続補正１７】
【補正対象書類名】明細書
【補正対象項目名】００２７
【補正方法】変更
【補正の内容】
【００２７】
第１１の構成は、
第９または第１０の構成に記載の蛍光体の製造方法であって、
前記混合物を焼成炉内で焼成して焼成物を得る工程において、前記焼成炉内の雰囲気ガスを0.01L/min以上流通させながら焼成することを特徴とする蛍光体の製造方法である。
【手続補正１８】
【補正対象書類名】明細書
【補正対象項目名】００２８
【補正方法】変更
【補正の内容】
【００２８】
第１２の構成は、
第９から第１１の構成のいずれかに記載の蛍光体の製造方法であって、
前記混合物を焼成炉内で焼成して焼成物を得る工程において、前記焼成炉内の雰囲気ガスを0.001MPa以上、0.1MPa以下の加圧状態とすることを特徴とする蛍光体の製造方法である。
【手続補正１９】
【補正対象書類名】明細書
【補正対象項目名】００２９
【補正方法】変更
【補正の内容】
【００２９】
第１３の構成は、
第１から第８の構成のいずれかに記載の蛍光体を用いたことを特徴とする光源である。
【手続補正２０】
【補正対象書類名】明細書
【補正対象項目名】００３０
【補正方法】変更
【補正の内容】
【００３０】
本発明の第１から第８の構成に記載の蛍光体は、発光のピーク波長が580〜680nmの範囲にあり、特に650nm以上のより長波長に発光ピークと高い発光強度を有するという優れた発光特性を有し、さらには、紫外〜可視光(波長250〜550nm)の広範囲な波長域に、平坦で効率の高い励起帯を持つという励起帯特性を有していた。
【手続補正２１】
【補正対象書類名】明細書
【補正対象項目名】００３１
【補正方法】変更
【補正の内容】
【００３１】
本発明の第９から第１２のいずれかの構成に記載の蛍光体の製造方法によれば、第１から第１３の構成のいずれかに記載の蛍光体組成中の酸素を減少させ、より長波長側に発光スペクトルのピークを持ち、発光効率が向上した蛍光体を安価な製造コストで容易に製造することができる。
【手続補正２２】
【補正対象書類名】明細書
【補正対象項目名】００３２
【補正方法】変更
【補正の内容】
【００３２】
第１３の構成に記載の発光装置によれば、所望の発光色を有し、発光強度および輝度が高い、高効率な発光装置を得ることができる。